【事件の表示】
　特許第２８３４５９５号「検体採取用試験管準備方法及び装置」の請求項１ないし５に係る特許に対する特許異議の申立てについて、次のとおり決定する。
【結論】
　特許第２８３４５９５号の請求項１ないし５に係る特許を維持する。
【理由】
（１）本件発明
　本件特許２８３４５９５号に係る発明（平成３年５月１５日出願、平成１０年１０月２日設定登録）は、特許明細書及び図面の記載からみて、その特許請求の範囲に記載された次のとおりのものである。
「【請求項１】患者に関する情報に基づいて、検査項目別に少なくとも２種類の試験管を収容した試験管収容部から、試験管移送手段で患者の検査に必要な試験管を自動的に選択してラベル貼付位置に移送すると共に、
　前記患者に関する情報に基づいて患者情報をラベル印字手段で自動的に印字し、
　ラベル貼付位置に移送された試験管に前記患者情報が印字されたラベルをラベル貼付手段で自動的に貼り付け、
　ラベル貼付後の試験管を試験管移送手段で患者別に収納可能な収納部へ自動的に移送する
　ことを特徴とする検体採取用試験管準備方法。
　【請求項２】検査項目別に少なくとも２種類の試験管を収容する第１収容部と、
　ラベルに患者に関する情報に基づいて患者情報を印字して試験管に貼り付けるラベル印字・貼付装置と、
　ラベル貼付後の試験管を収容する第２収容部と、
　前記第１収容部からラベル印字・貼付装置へまた、ラベル印字・貼付装置から前記第２収容部へ試験管を移送する移送手段と、
　患者に関する情報に基づいて、前記移送手段に患者の検査に必要な試験管を自動的に選択させてラベル印字・貼付装置のラベル貼付位置に移送させると共に、
　前記ラベル印字・貼付装置に、前記患者に関する情報に基づいて患者情報をラベルに印字させ、かつ、ラベル貼付位置に移送された試験管に対応する患者情報が印字されたラベルを貼り付けさせ、
　さらに、前記移送手段に、ラベル貼付後の試験管をラベル印字・貼付装置から前記第２収容部へ移送させ、前記第２収容部でラベル貼付後の試験管を患者別に収容させるよう少なくとも移送手段及びラベル印字・貼付装置を制御する制御手段と
　を有することを特徴とする検査用試験管準備装置。
　【請求項３】前記移送手段が、Ｘ軸方向、Ｙ軸方向及びＺ軸方向に移動可能な試験管把持具を有する
　ことを特徴とする請求項２に記載の検査用試験管準備装置。
　【請求項４】前記移送手段が、一つ又はそれ以上の無端コンベアを有する
　ことを特徴とする請求項２に記載の検査用試験管準備装置。
　【請求項５】前記第１収容部が検査項目別に試験管を収容可能な少なくとも二つの収容部を有する
　ことを特徴とする請求項４に記載の検査用試験管準備装置。」
（２）特許異議申立の理由の概要
　特許異議申立人、島田洋は、甲第１号証（特開昭５８−１２５４３６号公報）、甲第２号証（特開昭６３−８５５７号公報）、甲第３号証（特開昭６３−１５１６４号公報）及び甲第４号証（特開平２−１５５５４号公報）を提示して、本件請求項１〜５に係る発明は、甲第１〜４号証に記載された発明に基づいて、当業者が容易に発明をすることができたものであるから、特許法第２９条第２項の規定により特許を受けることができないものであり、よって、本件特許は平成６年法律第１１６号附則第１４条の規定に基づく、平成７年政令第２０５号第４条第１項及び第２項の規定により、取り消されるべきものであると主張している。
（３）甲第１〜４号証に記載される発明
　甲第１号証（以下「引用例１」という。）には、「一般に、各種病院及びコマーシャルラボラトリにおいて、血液検査、生化学検査等の検体容器には患者氏名、日付、検査項目などの検体情報を表示することが不可欠であり、この検体情報は検体容器に貼付したラベルに記載するようにしている。」（第１頁右下欄第１０〜１４行）、「第１図に示すように、１は検体容器２にラベル３を貼付するラベル貼付装置であって、本体４の内部に検体容器２のホッパ部５，ラベル３の貼付部６及び検体容器２の搬送手段７が設けられ、側部に収納部８が設けられて構成されている。」（第２頁左上欄第１１〜１５行、第１図）、「前記貼付部６は、前記ロール紙９の繰出しロール６ａ及び巻取りロール６ｂが上部に、ラベル３の剥離ロール６ｃ及び押圧ロール６ｄが下部貼付位置にそれぞれ枢支されると共に、２個の案内ロール６ｅ、６ｅが枢支されて構成されている。上記繰出しロール６ａにはラベル３が貼付されたロール紙９が取付けられ、このロール紙９は案内ロール６ｅ、６ｅ及び剥離ロール６ｃを縣回して巻取りロール６ｂに巻取られると同時に、上記剥離ロール６ｃにてほぼ１８０度反転され、ラベル３がロール紙９より剥離されるようになっている。
　更に、前記貼付部６にはドットプリンタ１１が設けられており、このドットプリンタ１１は前記ラベル３に検体情報を印字するようになっている。
　・・・
　前記搬送手段７は、前記ホッパ部５と貼付部６の下方に設けられたベルトコンベヤであって、両側のローラ７ａ、７ａに溝付シンクロベルト７ｂが縣回されて構成されている。このベルト７ｂは検体容器２の収容溝７ｃが多数形成され、前記案内手段１０の下方から貼付位置を経て収納部８近傍に亘って送行するように設けられている。更に、このベルト７ｂは前記ラベル３の剥離動作、つまり、ロール紙９の送りに同期し、且つ案内手段１０のベルトコンベヤ１０ａ及び半月ローラ１０ｂと同期して移動し、前記検体容器２を１個宛前記収納部８に搬送する。
　前記収納部８は、本体４の側部に形成された開口４ｄを通して検体容器２を収納するもので、収納箱８ａが上記本体４の側部に傾動手段（図示省略）により着脱自在に取付けられて構成されている。」（第２頁左下欄第１行〜同頁右下欄第１３行、第１図）、「次に、ラベル３の貼付動作について説明する。
　先ず、ラベル３が貼付されたロール紙９を繰出しロール６ａに装着し、このロール紙９を繰出して案内ロール６ｅ、６ｅ及び剥離ロール６ｃを縣回させ、巻取りロール６ｂに巻付ける。
　一方、収納箱８ａは前板８ｇを外して本体４に取付ける。この際、収納箱８ａは検体容器２が未だ収納されていないので側方へ直角に突出している（第１図参照）。
　この状態において、多数の検体容器２をホッパ部５に投入して貼付装置１を駆動すると、検体容器２は案内手段１０のベルトコンベヤ１０ａと半月ローラ１０ｂの平坦面１０ｃとの間に落ち込み、１個宛搬送手段７に落下移送される。このベルトコンベヤ１０ａと半月ローラ１０ｂに同期して搬送手段７のベルト７ｂが送行し、検体容器２が収容溝７ｃに収容され、貼付位置に移送される。
　この貼付位置において、ロール紙９が剥離ローラ６ｃで反転されるに伴ってラベル３が剥離される。この剥離動作に伴って検体容器２が移送され、一旦停止し、押圧ローラ６ｄがラベル３を検体容器２に押圧して検体容器２をベルト７ｂ上で自転させ、ラベル３を貼付する。
　引き続いて、ベルト７ｂが再度送行してその検体容器２を開口４ｄを介して収納箱８ａに収納する。」（第３頁左上欄第８行〜同頁右上欄第１３行、第１図）、「次に、このラベル貼付装置１を用いた検査処理システムを第５図に基づいて説明する。
　先ず、外来患者及び入院患者別に検査依頼表２１ａ、２１ｂが作成され、この依頼表２１ａ、２１ｂに基づいて検体情報がキー入力部２２にて入力され、中央処理装置２３及びラベル貼付装置１に送られる。
　続いて、ラベル貼付装置１においてドットプリンタ１１がラベル３に検体情報を印字し、このラベル３が貼付された検体容器２が前記依頼表２１ａ、２１ｂと共に検体採集部２４に送られ、採決或いは採尿される。
　引き続いて、この検体容器２は、遠心分離器２５分取分注機２６を経て或いは直接各種分析器２７に送られ、各種検査が行われる。」（第３頁左下欄第２〜１６行、第５図）と記載されている。
　甲第２号証（以下「引用例２」という。）には、「第１図は本発明における自動連続臨床検査システムの実施例を示す構成図である。まず、ホストコンピュータ１より検体管理番号が発行され、図示されていない端末のラベルプリンタより検体管理番号の書き込まれたラベル２ａ、２ｂが出力される。このラベル２ａ、２ｂは２枚ツインになっており、その状態で検査依頼書２に貼り付けられる。検査登録を行う時には、この検査依頼書２に検査項目、病院名、ドクター名、患者名等の必要項目を書き込むとともに検体容器３に検査依頼書２に貼られたラベル２ａ、２ｂの一方をはがして貼り付ける。ラベルの貼り付けられた検体容器３はロットにまとめて検体容器置場４にセットされる。検体容器置場４にセットされた検体容器３は例えばコンベアにて構成される搬送手段５により自動遠心分離機６に自動的にセットされる。」（第２頁左下欄第１６行〜同頁右下欄第１２行、第１図）、「バーコードリーダ７では検体容器３に貼り付けられていたラベルから検体管理番号が読み取られてＣＰＵ８を介してホストコンピュータ１とキャラクタプリンタ１３に伝送される。血餅と血清に分離された血液を収容した検体容器３は血清分離機９に送られ、ここで空試験管送り込み装置１０から送り込まれた空の試験管に血清部分が入れ替えられる。残りの血餅が入った検体容器３はスタッカ１１に収容される。血清の入った試験管は透過センサ１２に送られて光学的方法にて分離がなされているかどうかのチエックが行われる。血清だけであれば、光透過が良いため分離されていると判定され、血餅が混じっていると光の透過が悪いため分離されていないと判定される。透過センサ１２にてチェックが行われた試験管はキャラクタプリンタ１３に送られ、先程バーコードリーダ７で読み取られた検査管理番号と透過センサ１２のチェック結果とが試験管に貼り付けられている白紙のラベルにプリントされる。・・・ホストコンピュータ１にはＣＲＴディスプレイ、キーボード、ライトペン等からなる入力装置１７が設けられており、この入力装置１７により検査依頼書２に記載されている検体管理番号や検査項目、病院名等のデータが予め入力されて記憶されている。検査機１６は内蔵されているバーコードリーダ等で試験管のラベルより検体管理番号を読み取り、この検体管理番号に相当する検査依頼書２の内容をホストコンピュータ１から呼び出して、それに基づいた検査を行う。検査結果は検査機１６からの情報をもとに入力装置１８から入力される。また、検査結果はプリンタ１９より報告書としてプリントアウトされる。さらに検査依頼書２に基づいた検査を行うための作業指示書２１がプリンタ２０よりプリントアウトされるため、検査機が複数台ある場合にはホストコンピュータ１の指示によりどの検査機を使うか選択する必要があるが、この検査機の選択を人間が行う場合に利用される。第２図は本発明による自動連続臨床検査システムの変形例を説明するための図であり、第１図のスタッカ１５と検査機１６の間に挿入される分注システムを示している。すなわち、血清分離され、スタッカ１５に収納されている試験管内の血清を検査機１６にかける前に分注機２２により検査項目相当分に小分けし、おのおの小分けした容器に検体管理番号をラベルプリンタ２３にてプリントし、仕分け用スタッカ２４に収納するように構成されている。」（第２頁右下欄第１８行〜第３頁左下欄第５行、第１、２図）と記載されている。
　甲第３号証（以下「引用例３」という。）には、「多数のテストカップの整列担持用設置部を有する搬送トレイを搬送対象としかつ該搬送トレイを積込み位置で移入停止させる停止手段の設けられた搬送路：同一種類のテストカップの多数を並列収納しかつ種別標識が上面に表示されたテストパックトレイを、前記搬送路と概ね同一の平面上で複数種類平面的に配置してなるテストカップドロア：これら搬送路及びテストカップドロアの両者の上方に跨って配置され、駆動機構により平面的にｘｙ走査される走査移動体をもったｘｙ走査機構：テストカップの搬送トレイヘの積込み順序を指定するための入力装置：を備えた生化学分析装置のテストパック選択供給装置であって、・・・」（特許請求の範囲）、「前記テストカップの種別標識は、例えばバーコードによる他、数字、文字、マーク等適宜の標識を使用することができ、また該種別標識と共にロット番号等必要なラベル等を併せ表示させるようにしてもよい。」（第３頁左上欄第５〜９行）、「第１図は本発明の一実施例の構成概要を斜視図で示したものであり、図において、４１はテストパックトレイ群であり、各テストパックトレイ２１には、それぞれ同一の検査項目のために用いられる同じ種のテストカップ１１の多数が収納されている。本例における前記テストカップ１１は、第２図に示されるものであり、上方開放型のカップ型容器（・・・）の内部に、所定の項目に合わせた所定の試薬が分注されて凍結乾燥し、この後ラミネーテッドホイルで熱シールされ上面シール１２により封止されて予め準備される。本例では上面シール１２上に検査項目名が表記されている。」（第４頁左上欄第１６行〜同頁右上欄第１０行、第１、２図）、「なお以上の構成のｘｙ走査機構は、第５図に示す電子制御装置のソータ制御装置６１からの信号によって搬送トレイ４３上にテストカップ１１を所定の順序で選択して積み込み載置させるべく、各駆動機構によるｘｙ走査及び吸着ヘッドの上下動、並びにテストカップの吸引吊持の着脱ができるように構成されている。」（第５頁右上欄第２〜８行、第５図）、「次に以上の構成をなす本例のテストパック選択供給装置の動作について説明する。
　まず、テストパックドロア４２を本体装置から引出して所定の数、種類のテストカップトレイ２１をセットし、再びテストカップドロア４２を本体装置内へ挿入する。
　この状態でｘｙ走査機構を走査させてバーコードセンサ４８によりテストカップドロア内の各テストカップトレイ２１のバーコードを読取し、各テストカップトレイ２１の位置、種類をソータ制御装置６１内の内部メモリに記憶する。またこれと共に、各テストカップトレイ２１の上方を適当な走査間隔で走査し、その内部の各テストカップ１１の存在有無を確認し前記と同様にソータ制御装置内の内部メモリに記憶する。
　以上によって前記メモリには、テストパックドロア４２内の所定位置にセットされた各テストパックトレイ２１の種類と、これらの内部に存在するテストカップ１１のアドレスとが記憶され、例えていうならば、各テストカップの一個毎に異なるアドレス、種類を示すマップが前記内部メモリに記憶保存されることとなる。
　次いで、適宜の入力装置６２への指令（搬送トレイ４３上への積込み手順）を受たソータ制御装置が、この入力指令に依存して前記ｘｙ走査機構を駆動させ、前記記憶保存されているテストカップのマップに基づいて所定の位置のテストカップトレイ２１からテストカップ１１を吸着吊持し、搬送トレイ４３の所定の載置位置に移送して下す動作を順次繰返して行う。」（第５頁左下欄第２行〜同頁右下欄第１１行、第１〜５図）と記載されている。
　甲第４号証（以下「引用例４」という。）には、「第１図は検査用血液が入った試験管Ａの収納装置の実施例である。該実施例によると、採取血液が入った試験管Ａを１本宛載せて運ぶコンベア１０と、試験管Ａの蓋Ｂに貼られたラベルＣに印字する印字機２０と、試験管Ａを配列収納するためのパレット３０と、前記試験管Ａをパレット３０内の行方向（横方向）に沿い所定位置に変位させる給配機構４０と、前記パレット３０を縦方向に沿って移動させるパレット駆動機構５０と、前記印字機２０による印字数字とパレット内配列試験管数とを照合するチェック手段とを備える。」（第２頁第３欄第９〜１９行、第１図）、「給配機構４０は、基部に第１モータ４２が組み込まれた第１アーム４１と、この第１アーム４１の先端に組込まれた第２モータ４４が介して接続された第２アーム４３と、更にこの第２アームの先端に固着されたクリッパ４５とからなる。クリッパ４５は試験管Ａを挟持可能なよう水平方向に開閉自在となっている。これら第１アーム４１および第２アーム４３はリンクを形成しており、前記第１モータ４２、第２モータ４４の作動により互いに水平方向に揺動する。そして、特に第１アーム４１は、同一行に沿ってクリッパ４５が移動するよう揺動させるが、揺動一回毎に、変位角度が一列分宛大きくなるよう設定されている。」（第２頁第４欄第５〜１７行、第１図）と記載されている。
（４）対比・判断
　（ｉ）本件請求項１に係る発明（以下「本件第１発明」という）に関して；
　本件第１発明と引用例１に記載される発明（以下「引用発明」という。）とを比較すると、引用発明における「検体容器２」、「ホッパ部５」、「搬送手段７」、「貼付位置」、「ドットプリンタ１１」、「ラベル３の貼付部６」、「収納部８」が、本件第１発明における「試験管」、「試験管収容部」、「試験管移送手段」、「ラベル貼付位置」、「ラベル印字手段」、「ラベル貼付手段」、「収納部」に相当することは明白である。また、引用発明における、ドットプリンタ１１でラベル３に印字される検体情報は、患者氏名、日付、検査項目等であることから、本件第１発明における患者に関する情報に基づく患者情報に相当することも明白である。してみれば、両者は、試験管を収容した試験管収容部から、（該試験管を、）試験管移送手段でラベル貼付位置に移送すると共に、患者に関する情報に基づいて患者情報をラベル印字手段で自動的に印字し、ラベル貼付位置に移送された試験管に前記患者情報が印字されたラベルをラベル貼付手段で自動的に貼り付け、ラベル貼付後の試験管を試験管移送手段で収納部へ移送するようにした検体採取用試験管準備方法である点で一致し、（１）試験管収容部に関し、本件第１発明は、検査項目別に少なくとも２種類の試験管を収容しているのに対して、引用発明は、この構成が記載されていない点、（２）試験管収容部からの試験管取り出しに関し、本件第１発明は、患者に必要な試験管を自動的に選択して取り出しているのに対して、引用発明は、この構成が記載されていない点、（３）本件第１発明は、検査項目別に収容されていた試験管を患者別に収納するのに対して、引用発明は、この構成が記載されていない点で相違する。
　上記相違点について検討する。相違点（１）、については、引用例３に、「４１は（テストカップドロア４４にセットされた）テストパックトレイ群であり、各テストパックトレイ２１には、それぞれ同一の検査項目のために用いられる同じ種のテストカップ１１の多数が収納されている。」との記載があり、この記載からみれば、引用例３には、検査に用いるテストカップを、検査項目別に適宜配置して準備する方法として、テストカップ収容部であるテストカップドロア４４に、テストカップトレイ別にすなわち検査項目別に少なくとも２種類のテストカップを収容することが開示されているものと認められる。したがって、引用例３に開示される技術に倣って、これを引用発明に適用して、本件第１発明のように、試験管収納部に検査項目別に少なくとも２種類の試験管を収容するように構成することは、当業者にとって格別予測困難性あるものとは認められない。相違点（２）については、同じく引用例３に、「次いで、適宜の入力装置６２への指令（搬送トレイ４３上への積込み手順）を受けたソータ制御装置が、この入力指令に依存して前記ｘｙ走査機構を駆動させ、前記記憶保存されているテストカップのマップに基づいて所定の位置のテストカップトレイ２１からテストカップ１１を吸着吊持し、搬送トレイ４３の所定の載置位置に移送して下す動作を順次繰返して行う。」との記載があり、この記載からは、テストパック収容部であるテストパックドロア４４から、検査に必要なテストパック１１を自動的に選択して取り出すことが開示されているものと認められる。したがって、引用例３に開示される取り出し方法を、引用発明に採用して本件第１発明のように構成することは、当業者にとって、格別困難性あるものとは認められない。
　しかしながら、相違点（３）については、患者別に収納することが引用例２〜４のいずれにも記載されていないし、示唆もない。確かに、引用例２には、「おのおの小分けした容器に検体管理番号をラベルプリンタ２３にてプリントし、仕分け用スタック２４に収納するように構成されている。」との記載はあるが、この記載からは、１つの検体容器３（本件第１発明における「試験管」に相当する。以下同様）内に入っていた検体を、複数の新しい検体容器に小分けして（この時点では、複数の新しい検体容器はすべて同じものであるといえる。）、この小分けされた複数の新しい（同種の）検体容器を検査項目別に仕分けることが開示されているにすぎないものである。すなわち本件第１発明のように予め複数の種目別（検査項目別）に仕分けられていた多数の試験管を、前記種目とは異なる観点から見た複数の種目別（患者別）に仕分けるものではない。また、引用例３に記載される発明は、予め複数の種目別に仕分けられていた多数のテストパック（「試験管」）を、その主要部から、必要なテストパックを取り出すものであって、その後の仕分け方法については何等開示していない。引用例４に記載される発明は、パレット３０上に試験管Ａを順番に並べるようにしたものであって、種目別に仕分けるものとは言えない。そして、引用発明に引用例２、３に開示される発明はそれぞれ個々には採用し得ても、引用例２、３に開示される発明を同時に引用発明には採用し得ない。すなわち、引用例２に記載される発明は、予め用意されているのは同じ種類の容器であり、これを特定の種目別に仕分ける方法であり、引用例３に記載される発明は、予め用意されているのは特定の種目別に仕分けられている容器であり、これを指令に伴って、取り出す方法であり、予め用意されている容器の態様が異なるのであるから、これを組み合わせることはできないものである。したがって、引用例２〜４に記載される発明を、引用発明に採用しても、本件第１発明のような構成とはなり得ないのであるから、本件発明は、引用発明及び引用例２〜４に開示される発明に基づいて、当業者が容易に想到し得るものとは認められない。そして、本件発明は、上記構成を有することにより、明細書記載のとおりの格別の作用効果を奏するものと認められる。
　なお、参考資料１（特開昭６３０−２５９４６８号公報）も検討したが、上記相違点（３）において指摘した本件第１発明の構成については、他の引用例と同様に、何等開示されていないし、示唆もない。
（ｉｉ）本件請求項２に係る発明（以下「本件第２発明」という。）に関して，
　本件第２発明と引用例１に記載される発明（以下「引用発明」という。）とを比較すると、引用発明における「検体容器２」、「ホッパ部５」、「搬送手段７」、「貼付位置」、「ドットプリンタ１１」、「ラベル３の貼付部６」、「収納部８」、「中央処理装置２３」が、本件第２発明における「試験管」、「試験管を収容する第１収容部」、「試験管を移送する移送手段」、「ラベル貼付位置」、「ラベル印字装置」、「ラベル貼付装置」、「試験管を収容する第２収容部」、「移送手段およびラベル印字・貼付装置を制御する制御手段」に相当することは明白である。また、引用発明における、ドットプリンタ１１でラベル３に印字される検体情報は、患者氏名、日付、検査項目等であることから、本件第２発明における患者に関する情報に基づく患者情報に相当することも明白である。してみれば、両者は、試験管を収容する第１収容部と、ラベルに患者に関する情報に基づいて患者情報を印字して試験管に貼り付けるラベル印字・貼付装置と、ラベル貼付後の試験管を収容する第２収容部と、前記第１収容部からラベル印字・貼付装置へ、また、ラベル印字・貼付装置から前記第２収容部へ試験管を移送する移送手段と、試験管をラベル印字・貼付装置のラベル貼付位置に移送させると共に、前記ラベル印字・貼付装置に、前記患者に関する情報に基づいて患者情報をラベルに印字させ、かつ、ラベル貼付位置に移送された試験管に対応する患者情報が印字されたラベルを貼り付けさせ、さらに、前記移送手段に、ラベル貼付後の試験管をラベル印字・貼付装置から前記第２収容部へ移送させ、前記第２収容部でラベル貼付後の試験管を収容させるよう少なくとも移送手段及びラベル印字・貼付装置を制御する制御手段とを有する検査用試験管準備装置である点で一致し、（１）試験管第１収容部に関し、本件第２発明は、検査項目別に少なくとも２種類の試験管を収容しているのに対して、引用発明は、この構成が記載されていない点、（２）試験管第１収容部からの試験管取り出しに関し、本件第２発明は、患者に必要な試験管を自動的に選択して取り出しているのに対して、引用発明は、この構成が記載されていない点、（３）本件第２発明は、第１収容部で検査項目別に収容されていた試験管を、第２収容部で患者別に収容するのに対して、引用発明は、この構成が記載されていない点で相違する。
　上記相違点について検討する。上記相違点（１）〜（３）は、本件第１発明と引用発明との相違点と実質的に同じであり、したがって、上記（ｉ）本件請求項１に係る発明に関しての欄で述べたと同様の理由により、本件第２発明は、引用発明および引用例２〜４に記載される発明に基づいて当業者が容易に発明をすることができたものとは認められない。
（ｉｉｉ）請求項３〜５に係る発明に関して；
請求項３〜５に係る発明は、請求項２に係る発明を引用した従属発明であるから、これらの発明は、上記（ｉｉ）本件請求項２に係る発明に関しての欄で述べたと同様の理由により、引用例１〜４に記載される発明に基づいて当業者が容易に発明をすることができたものとは認められない。
（５）むすび
　以上のとおりであるから、特許異議申立ての理由及び証拠によっては本件特許を取り消すことはできない。
　また、他に本件特許を取り消すべき理由を発見しない。
　よって、結論のとおり決定する。
【異議決定日】
平成１１年１０月２１日（１９９９．１０．２１）